(57)【要約】【課題】簡素な構造で有価物の取り忘れ防止を図る。【解決手段】金額情報の記入されたプリペイドカード５が投入口２より台間球貸出機１の機体内部に投入された状態において、遊技者が貸出操作機構１４を操作すると、貸出スイッチ１５が貸出操作信号を貸出制御装置７に出力し、貸出制御装置７が球払出機構による球払出動作と読書装置１３による金額情報の書換動作と搬送機構８によるプリペイドカード５の排出動作とを実行し、プリペイドカード５の後部が駆動ローラ１０と従動ローラとで挟まれた形態で投入口２の前方に排出される。その状態において、遊技者が再び貸出操作機構１４を操作すると、搬送駆動源９により駆動された駆動ローラ１０がプリペイドカード５の後部を台間球貸出機１の機体内部に引き込み、貸出制御装置７が上記球払出動作と金額情報書換動作およびプリペイドカード排出動作を実行する。【選択図】        図１
2004147688.tif 000002
【特許請求の範囲】
【請求項１】
機体前壁の投入口に投入された有価物を搬送機構で機体内部に取り込む一方、貸出操作機構に対する操作により機体内部に取り込まれた有価物の金額情報範囲内で遊技媒体を払い出す台間遊技媒体貸出機において、上記貸出操作機構に対する操作により搬送機構に金額情報の修正された有価物の機体内部から投入口への排出を指示する排出指示手段を備えたことを特徴とする台間遊技媒体貸出機。
【請求項２】
搬送機構による排出終了位置を有価物の前部が投入口より前方に突出し有価物の後部が搬送機構に係合する位置に設定したことを特徴とする請求項１記載の台間遊技媒体貸出機。
【請求項３】
貸出操作機構の操作により搬送機構に係合した形態で排出された有価物の機体内部への取り込みを搬送機構に指示する再取込指示手段を備えたことを特徴とする請求項２記載の台間遊技媒体貸出機。
【発明の詳細な説明】
【０００１】
【発明の属する技術分野】
本発明は硬貨、紙幣、プリペイドカードなどの有価物を投入して球やメダルのような遊技媒体をスロットマシンやパチンコ機のような遊技機に払い出す台間遊技媒体貸出機に関する。
【０００２】
【従来の技術】
従来の台間遊技媒体貸出機の１つであるパチンコ機と対として用いられるプリペイドカードタイプの台間球貸出機は、球箱検出器が台間球貸出機およびパチンコ機を対となるように併設したパチンコ店の島と呼ばれる遊技機設置設備の棚に置かれたドル箱と呼ばれるような球箱を検出した信号をパチンコ機を経由して貸出制御装置に出力した状態において、遊技者がパチンコ機の前面に設けられた返却機構を操作すると、返却機構の返却スイッチがパチンコ機を経由して貸出制御装置に返却信号を出力し、貸出制御装置がプリペイドカードの搬送機構を制御する。これによって、搬送機構がプリペイドカードを台間球貸出機の機体内部から前方に排出している（例えば、特許文献１参照）。
【０００３】
【特許文献１】
特許第３１５８３７７号公報（第５頁、段落番号００３０、図７）
【０００４】
【発明が解決しようとする課題】
しかしながら、前記従来例は球箱検出器を設けた構造であるため、通常の台間球貸出機と対をなすパチンコ機に球箱検出器を新たに設ける必要があり、機構的な構造が複雑となるため、にわかに採用しがたいものであるという問題点があった。
【０００５】
そこで、本発明は貸出制御プログラムの変更で、遊技機の機構的な構造の簡素化を図ることができる台間遊技媒体貸出機を提供するものである。
【０００６】
【課題を解決するための手段】
本発明にあっては、機体前壁の投入口に投入された有価物を搬送機構で機体内部に取り込む一方、貸出操作機構に対する操作により機体内部に取り込まれた有価物の金額情報範囲内で遊技媒体を払い出す台間遊技媒体貸出機において、上記貸出操作機構に対する操作により搬送機構に金額情報の修正された有価物の機体内部から投入口への排出を指示する排出指示手段を備えたことによって、金額情報の修正された有価物が遊技媒体の払出動作と並行して投入口より排出されるので、有価物の取り忘れを防止することができる一方、貸出制御プログラムを変更することで既存の部品を使用することができることから、遊技機の機構的な構造の簡素化を図ることができる。また、本発明にあっては、搬送機構による排出終了位置を有価物の前部が投入口より前方に突出し有価物の後部を搬送機構に係合する位置に設定すれば、投入口より有価物が不意に落下することを防止することができ、取り忘れ防止を一層向上することができる。また、本発明にあっては、貸出操作機構の操作により搬送機構に係合した形態で排出された有価物の機体内部への取り込みを搬送機構に指示する再取込指示手段を備えれば、遊技者が遊技媒体の１回の払い出しを受けた後に遊技媒体の次の払い出しを受けるために貸出操作を行うことで、搬送機構が金額の修正された有価物を機体内部に取り込むので、遊技者が投入口の前方に排出された有価物を押し込むような面倒な操作を行うことなく、遊技性を向上することができる。
【０００７】
【発明の実施の形態】
図１および図２は一実施形態であって、図１は台間遊技媒体貸出機の１つであるプリペイドカード５を用いる台間球貸出機１における投入口２周りの断面を示し、図２は台間球貸出機１および遊技機の１つであるパチンコ機３を模式的に示す。
【０００８】
図２を参照し、台間球貸出機１およびパチンコ機３について説明する。台間球貸出機１およびパチンコ機３では以下に示す点が公知である。遊技者がパチンコ機３と対をなす台間球貸出機１の機体前壁４に形成された投入口２に金額情報の記入された有価物であるプリペイドカード５を投入する点、投入検出器６が投入されたプリペイドカード５を検出した投入検出信号を貸出制御装置７に出力する点、貸出制御装置７が入力された投入検出信号で搬送機構８のステッピングモータのような搬送駆動源９を駆動する点、この搬送駆動源９で駆動された搬送体としての駆動ローラ１０と従動ローラ１１とがプリペイドカード５を台間球貸出機１の機体内部に取り込む点、取込検出器１２がプリペイドカード５を検出した取込完了信号を貸出制御装置７に出力する点、貸出制御装置７が入力された取込完了信号で上記搬送駆動源９の駆動を停止するとともに読書装置１３を制御する点、読書装置１３がプリペイドカード５に記入されている金額情報を読み出して貸出制御装置７に出力する点、貸出制御装置７は入力された金額情報が一回の球貸操作に対応する金額以上であるか否かを判定する点、入力された金額情報が一回の球貸操作で払い出すべき球数に対応する金額未満であることから貸出制御装置７が判定結果として金額不足と判定した場合に遊技者によるパチンコ機３の前側に設けられた貸出操作機構１４の貸出スイッチ１５からパチンコ機３を経由して貸出制御装置７に入力される球貸操作信号を無効として扱う点、上記貸出制御装置７に入力された金額情報が１回の球貸操作で払い出すべき球数に対応する金額以上であることから貸出制御装置７が金額適正と判定した場合に遊技者による貸出スイッチ１５からパチンコ機３を経由して貸出制御装置７に入力される球貸操作信号を有効として扱う点、この有効の結果として貸出制御装置７が貸出スイッチ１５からの操作回数に対応する球払出指示をパチンコ機３の遊技制御装置１６に出力する点、遊技制御装置１６がパチンコ機３の裏側に設けられた球払出機構１７を上記操作回数に対応する個数の球を貸球としてパチンコ機３の前側に設けられた皿１８に払い出すように制御する点、遊技者によるパチンコ機３の前側に設けられた返却操作機構２１の返却スイッチ２２から返却信号がパチンコ機３を経由して貸出制御装置７に出力される点、貸出制御装置７が入力された返却信号で搬送機構８の搬送駆動源９を駆動する点、この搬送機構８がプリペイドカード５を台間球貸出機１の機体内部から前側に返却して駆動ローラ１０と従動ローラ１１とから開放される位置まで返却する点である。
【０００９】
これに対し、台間球貸出機１は以下に示す２つの新規事項を有する。すなわち、１つの新規事項は、遊技者が貸出操作機構１４を操作し、貸出スイッチ１５が貸出制御装置７に貸出操作信号を出力し、貸出制御装置７が入力された貸出操作信号を有効に扱うと（図１のステップ１０１のＹＥＳ参照）、貸出制御装置７が球払出機構１７による球払出動作と読書装置１３による金額情報の書換動作と搬送機構８によるプリペイドカード５の排出動作とを実行する（図１のステップ１０２参照）。具体的には、上記払出動作および書換動作は従来公知であるが、上記排出動作が払出動作および書換動作とともに行われる点が新規である。このプリペイドカード５の排出動作は貸出制御装置７に格納されたマイクロコンピュータを動作するＲＯＭに記憶された貸出制御プログラムで行われる。貸出制御プログラムを実行する手段として貸出制御装置７には排出指示手段２５を備える。
【００１０】
もう１つの新規事項は、貸出制御装置７が遊技者による貸出スイッチ１５からの有効な球貸操作信号で実行されるプリペイドカード５の払出動作に伴う排出停止位置として、プリペイドカード５の前部が投入口２から前方に突出するものの、プリペイドカード５の後部が駆動ローラ１０と従動ローラ１１とで挟まれている形態を作る位置である。具体的には、排出指示手段２５が搬送機構８を駆動し、駆動ローラ１０の駆動でプリペイドカード５の前部が台間球貸出機１の機体内部から前方に突出する一方、プリペイドカード５の後部が駆動ローラ１０に係合している位置で、排出指示手段２５が搬送機構８の駆動を停止する。その状態において、遊技者が貸出操作機構１４を操作すると、貸出スイッチ１５が貸出制御装置７に貸出操作信号を出力し、貸出制御装置７が入力された貸出操作信号を有効に扱うと（図１のステップ１１１のＹＥＳ参照）、貸出制御装置７が搬送機構８によるプリペイドカード５の取込動作と球払出機構１７による球払出動作と読書装置１３による金額情報の書換動作と搬送機構８によるプリペイドカード５の排出動作とを実行する（図１のステップ１１２参照）。具体的には、上記払出動作と書換動作および排出動作は１つの新規事項と同様であるが、上記取込動作が人為的な貸出操作を契機として行われる点が新規である。このプリペイドカード５の取込動作は貸出制御装置７のＲＯＭに記憶された貸出制御プログラムを実行する手段として貸出制御装置７に内蔵された再取込指示手段２６により実行される。
【００１１】
本実施形態の動作について説明する。貸出制御装置７および遊技制御装置１６が電力供給で起動した状態において、遊技者が投入口２にプリペイドカード５を投入すると、貸出制御装置７が投入検出信号の入力で搬送駆動源９を駆動し、駆動ローラ１０と従動ローラ１１とがプリペイドカード５を図１に実線で示すように投入口２からガイドレール３１に沿って台間球貸出機１の機体内部に取り込む。そして、貸出制御装置７が読書装置１３から入力された金額情報で金額適性と判断して遊技制御装置１６に払出指示を出力し、遊技制御装置１６が球払出機構１７を制御し、球払出機構１７が貸球払出動作を実行する。これと並行し、読書装置１３がプリペイドカード５の金額情報を書き換える一方、排出指示手段２５が搬送駆動源９を制御する。この搬送駆動源９の制御の結果として、駆動ローラ１０がプリペイドカード５を台間球貸出機１の機体内部から前方に排出する。これによって、図１に仮想線で示すようにプリペイドカード５の前部が投入口２から台間球貸出機１の前方に突出し、プリペイドカード５の後部が駆動ローラ１０と図１の従動ローラ１１との間に位置する形態で、排出指示手段２５が上記搬送駆動源９の制御を停止する。
【００１２】
要するに、本実施形態の構造によれば、台間球貸出機１と対をなす従前のパチンコ機３が通常備えている貸出操作機構１４の機構的な構造を改造することなく、貸出制御装置７に格納される貸出制御プログラムを変更することで、排出指示手段２５により制御された搬送機構８がプリペイドカード５を台間球貸出機１の機体内部から前方に排出し、遊技者によるプリペイドカード５の取り忘れを防止することができる。しかも、搬送機構８によるプリペイドカード５の排出位置はプリペイドカード５の前部が台間球貸出機１の前方に突出し、プリペイドカード５の後部が駆動ローラ１０と従動ローラ１１とで挟まれた形態であるので、プリペイドカード５が台間球貸出機１の前方に排出された状態において、プリペイドカード５の後部が搬送機構８に係合して支持される。よって、プリペイドカード５が投入口２から不意に落下することはない。このように、プリペイドカード５が台間球貸出機１の機体内部から前方に排出された形態において、遊技者が貸出操作機構１４を操作すると、再取込指示手段２６が搬送駆動源９を制御し、搬送駆動源９により駆動された駆動ローラ１０がプリペイドカード５の後部を台間球貸出機１の機体内部に引き込み、遊技者が１回の球貸操作後における次回の球貸操作を行うことで、貸出制御装置７が遊技制御装置１６に球払出指示を再び出力するので、遊技者が台間球貸出機１の前方に排出されたプリペイドカード５を押し込むような面倒な操作も解消することができる。
【００１３】
また、搬送機構８による排出終了位置をプリペイドカード５の後部が駆動ローラ１０と従動ローラ１１とに挟まれるように設定するために、搬送駆動源９の回転量と駆動ローラ１０の寸法からプリペイドカード５の搬送量を求め、ステッピングモータのような搬送駆動源９に対する電力供給時間やパルス数を貸出制御装置７に設定すればよい。この電力供給時間やパルス数の設定に代えて、駆動ローラ１０と取込検出器１２との間で駆動ローラ１０の近傍に排出検出器を設け、排出検出器からのプリペイドカード５を検出した排出検出信号の入力停止により搬送機構８に駆動停止を指示する駆動停止手段を貸出制御装置７に設けることもできる。この場合は、搬送駆動源９として回転方向を正逆に変更できるモータを使用すればよい。
【００１４】
また、硬貨や紙幣のような有価物を投入口２に投入するとともに貸出操作機構１４の操作により台間球貸出機１に内蔵された球払出機構１７を使用して球を払い出す現金機と称される台間球貸出機にも適用できる。この場合、投入口２に投入された紙幣や硬貨より貸出操作機構１４への操作に応じた貸球を払い出すとともに、貸出操作機構１４への操作に応じた残金分の紙幣や硬貨つまり金額情報の修正された有価物を台間球貸出機１の返却口に払い出せば、残金分の紙幣や硬貨の取り忘れを防止することができる。遊技媒体として球を払い出す台間球貸出機１について説明したが、遊技媒体としてメダルを払い出す台間メダル貸出機にも適用できる。
【図面の簡単な説明】
【図１】一実施形態の台間遊技媒体貸出機を示す断面図。
【図２】同実施形態の台間球貸出機およびパチンコ機を示す模式図。
【符号の説明】
１  台間球貸出機（台間遊技媒体貸出機）、２  投入口、４  機体前壁、
５  プリペイドカード（有価物）、８  搬送機構、１４  貸出操作機構、
２５  排出指示手段、２６  再取込指示手段。
【図１】
2004147688.tif 000003
【図２】
2004147688.tif 000004